(57)【要約】【課題】着用者の排泄口への高い密着性と良好な装着感を両立させることが可能な吸収性物品に関する。【解決手段】上記吸収性物品は、着用者の肌側に配置された表面シートと、非肌側に配置された裏面シートと、吸収性コアを有し上記表面シート及び上記裏面シートの間に配置された吸収体と、を備え、着用者の前後方向に対応する縦方向及び上記縦方向に直交する横方向を有する。上記吸収性コアは、上記縦方向の両端部側に位置する前方コア部及び後方コア部と、上記前方コア部及び上記後方コア部の間に位置し、上記前方コア部及び上記後方コア部よりも幅狭に括れた中間コア部と、少なくとも上記中間コア部の上記横方向中央部に形成され、上記縦方向に延在する中央外力緩衝部と、を有する。【選択図】図１
2020036737.tif 000002
【特許請求の範囲】
【請求項１】
着用者の肌側に配置された表面シートと、非肌側に配置された裏面シートと、吸収性コアを有し前記表面シート及び前記裏面シートの間に配置された吸収体と、を備え、着用者の前後方向に対応する縦方向及び前記縦方向に直交する横方向を有する吸収性物品であって、
前記吸収性コアは、
前記縦方向の両端部側に位置する前方コア部及び後方コア部と、
前記前方コア部及び前記後方コア部の間に位置し、前記前方コア部及び前記後方コア部よりも幅狭に括れた中間コア部と、を有し、該中間コア部では、前記横方向中央部にその周辺領域よりも厚い、肌側へ突出する領域を備えておらず、
少なくとも前記中間コア部の前記横方向中央部に形成され、前記縦方向に延在する中央外力緩衝部と、を有する
吸収性物品。
【請求項２】
前記中央外力緩衝部は、
前記吸収性コアの前記横方向中央部に位置し、前記前方コア部から前記後方コア部まで前記縦方向に延在する
請求項１に記載の吸収性物品。
【請求項３】
前記中央外力緩衝部は、
前記前方コア部及び前記後方コア部において、前記中間コア部よりも幅広に形成される
請求項２に記載の吸収性物品。
【請求項４】
前記吸収性コアは、
前記中央外力緩衝部の前記横方向両側方に形成され、前記縦方向に延在し非肌方向への起立を促進する側部外力緩衝部をさらに有する
請求項１ないし３のいずれか一項に記載の吸収性物品。
【請求項５】
前記吸収性コアは、
前記中央外力緩衝部の前記横方向両側方に形成され、前記横方向に延在し非肌方向への起立を促進する側部外力緩衝部をさらに有する
請求項１ないし４のいずれか一項に記載の吸収性物品。
【請求項６】
前記吸収性物品は、
前記吸収体が前記表面シートとともに厚み方向に圧縮されて構成され、前記中間コア部において前記縦方向に延びる一対の圧搾溝をさらに備え、
前記中間コア部の前記横方向端部及び前記圧搾溝の間の前記横方向に沿った寸法を第１の幅とし、前記圧搾溝及び前記中央外力緩衝部の間の前記横方向に沿った寸法を第２の幅としたときに、前記第１の幅よりも前記第２の幅の方が大きい
請求項１ないし５のいずれか一項に記載の吸収性物品。
【発明の詳細な説明】
【技術分野】
【０００１】
本発明は、生理用ナプキン等の吸収性物品に関する。
【背景技術】
【０００２】
従来より、吸収体が肌側に突出して折れ曲がるように誘導する構成を有する吸収性物品が知られている。例えば、特許文献１には、厚さ方向の肌側に突出して折れ曲がるように誘導する折れ線を有する吸収体を備えた吸収性物品が記載されている。また、特許文献２には、肌側に折れ曲がるように誘導する折り曲げ誘導部を有する吸収体を備えた吸収性物品であって、折り曲げ誘導部が肌側に向かって窪んだ窪みを非肌側に有する圧縮部である吸収性物品が記載されている。また、特許文献３及び４には、吸収性コアに複数の低坪量の溝を縦横に交差させるように延在させ、ブロック状の突出吸収部を備えた吸収体が開示されている。
【先行技術文献】
【特許文献】
【０００３】
【特許文献１】特許第５９７８３４１号公報
【特許文献２】特許第６０８９０７８号公報
【特許文献３】特許第５７１１５２３号公報
【特許文献４】特許第５６８５４３０号公報
【発明の概要】
【発明が解決しようとする課題】
【０００４】
特許文献１及び２に記載の吸収性物品では、横方向から圧縮される方向に大きな外力が付加された場合、吸収体が肌側へ急峻に折れ曲がり、排泄部への密着性が不十分であるとともに、着用時の違和感及び不快感の原因となることがあった。
【０００５】
特許文献３及び４に記載の吸収性物品は、特許文献１及び２の吸収性物品に比べると、様々な方向から吸収性コアに加わる外力に対して吸収体を変形し易くすることで着用者の肌へのフィット性が高いものである。しかし、吸収性コアの排泄口対向領域が周辺領域より厚い、いわゆる中高構造を有さないので、排泄口への密着性という点では改善の余地があった。
【０００６】
本発明の課題は、着用者の排泄口への高い密着性と良好な装着感を両立させることが可能な吸収性物品に関する。
【課題を解決するための手段】
【０００７】
本発明の一形態に係る吸収性物品は、着用者の肌側に配置された表面シートと、非肌側に配置された裏面シートと、吸収性コアを有し上記表面シート及び上記裏面シートの間に配置された吸収体と、を備え、着用者の前後方向に対応する縦方向及び上記縦方向に直交する横方向を有する。
上記吸収性コアは、
上記縦方向の両端部側に位置する前方コア部及び後方コア部と、
上記前方コア部及び上記後方コア部の間に位置し、上記前方コア部及び上記後方コア部よりも幅狭に括れた中間コア部と、を有し、該中間コア部では、上記縦方向に直交する横方向中央部にその周辺領域よりも厚い突出部を備えておらず、
少なくとも上記中間コア部の前記横方向中央部に形成され、上記縦方向に延在する中央外力緩衝部と、を有する。
【発明の効果】
【０００８】
以上のように、本発明の吸収性物品によれば、着用者の排泄口への高い密着性と良好な装着感を両立させることができる。
【図面の簡単な説明】
【０００９】
【図１】本発明の第１実施形態に係る吸収性物品を示す平面図である。
【図２】図１のII−II線で切断した上記吸収性物品の断面図である。
【図３】上記吸収性物品の吸収性コアを示す平面図である。
【図４】上記吸収性物品の着用時の構成を模式的に示す図である。
【図５】本発明の第２実施形態に係る吸収性物品を示す平面図である。
【図６】本発明の第２実施形態に係る吸収性物品の他の構成例を示す平面図である。
【図７】本発明の第３実施形態に係る吸収性物品を示す平面図である。
【図８】本発明の第４実施形態に係る吸収性物品を示す平面図である。
【図９】上記吸収性物品の後方部における着用時の構成を模式的に示す図である。
【図１０】本発明の第４実施形態に係る吸収性物品の他の構成例を示す平面図である。
【図１１】本発明の第５実施形態に係る吸収性物品を示す平面図である。
【図１２】本発明の第６実施形態に係る吸収性物品を示す平面図である。
【発明を実施するための形態】
【００１０】
以下、図面を参照しながら、本発明の実施形態を説明する。
【００１１】
［ナプキンの全体構成］
図１に示す吸収性物品１は、本体Ｍと、一対のウイング部Ｗと、一対の後方フラップ部Ｆと、を備える。吸収性物品１は、生理用ナプキンとして構成され、以下、ナプキン１と称する。
ナプキン１は、着用者の前後方向に対応する縦方向Ｘと、着用者の左右方向に対応し縦方向Ｘに直交する横方向Ｙとを有する。さらに、ナプキン１は、縦方向Ｘ及び横方向Ｙの双方に直交する厚み方向Ｚを有する。なお、厚み方向Ｚに関しては、着用時に着用者の肌に近い側を「肌側」又は「上」、着衣に近い側を「非肌側」又は「下」とも表現する。さらに、厚み方向Ｚ上方を「肌方向Ｚ１」、厚み方向Ｚ下方向を「非肌方向Ｚ２」と表現することもある。
ナプキン１は、就寝時に使用されてもよく、例えば縦方向Ｘに沿って３０ｃｍ以上の長さを有していてもよい。
【００１２】
本体Ｍは、縦方向Ｘに沿って延び、着用時に着用者の着衣の内面に固定される。本体Ｍは、後述する吸収体１１を有しており、着用者の経血等の液状物（以下、「液」とも称する）を吸収する機能を有する。
【００１３】
ウイング部Ｗは、本体Ｍから横方向Ｙの外方に大きく突出するように構成される。
後方フラップ部Ｆは、本体Ｍの後方部において横方向Ｙの外方に膨出するように構成される。
なお、ナプキン１は、ウイング部Ｗ及び後方フラップ部Ｆのうちの少なくとも一つを有さなくてもよい。
【００１４】
図２に示すように、ナプキン１は、吸収体１１と、表面シート１２と、裏面シート１３と、一対のサイドシート１４と、を備える。本体Ｍにおいて、ナプキン１は、裏面シート１３、吸収体１１及び表面シート１２が厚み方向Ｚに積層された構成を有する。これらの構成は、例えば、接着剤やヒートシール等による接合、及び後述する圧搾溝によるエンボス加工等によって、適宜接合されて一体化している。
【００１５】
吸収体１１は、縦方向Ｘに沿って延び、表面シート１２と裏面シート１３との間に配置される。吸収体１１は、液を表面シート１２側の面から吸収し、内部で拡散させて当該液を保持する。
吸収体１１は、吸収性コア１６と、コアラップシート１７と、を有する。
吸収性コア１６は、例えば、パルプ繊維等の親水性繊維で構成された繊維集合体で形成されてもよいし、当該繊維集合体に吸水性ポリマーを保持させた構成を有していてもよい。
コアラップシート１７は、吸収性コア１６を被覆し、例えば吸収性コア１６の形状を保持する機能等を有する。コアラップシート１７は、例えばティッシュペーパー状の薄く柔らかい紙や液透過性の不織布等で形成される。
吸収体１１の詳細については後述する。
【００１６】
表面シート１２は、液透過性のシート材として構成され、吸収体１１の厚み方向Ｚ上方（肌側）に配置される。なお、表面シート１２と吸収体１１との間には、表面シート１２から吸収体１１への液の透過性の向上、吸収体１１に吸収された液の表面シート１２への液戻りの防止等の観点から、セカンドシート（サブレイヤーシート）が配置されていてもよい。
【００１７】
裏面シート１３は、吸収体１１の厚み方向Ｚ下方に配置される。裏面シート１３は、例えば周縁部において、表面シート１２及びサイドシート１４と接着剤、熱シール等によって接合される。裏面シート１３は、接着剤等によって吸収体１１に接合されていてもよい。
裏面シート１３は、例えば、液難透過性、水蒸気透過性及び撥水性等の機能を有するシート材で形成される。当該シート材としては、例えば熱可塑性樹脂のフィルムや、当該フィルムと不織布とのラミネート等を用いることができる。
【００１８】
裏面シート１３の外面には、粘着部１５が設けられる。粘着部１５は、ナプキン１を着衣に対して固定させるずれ止め材としての機能を有し、例えば、裏面シート１３にホットメルト粘着剤等の粘着剤を塗工することにより形成される。粘着部１５は、図２に示すように、本体Ｍ及びウイング部Ｗに設けられ、さらに後方フラップ部Ｆにも設けられてもよい。
【００１９】
一対のサイドシート１４は、ナプキン１の横方向Ｙ周縁に配置され、表面シート１２を挟んで横方向Ｙに相互に対向する。サイドシート１４は、横方向Ｙ内方の端部において接着剤等により表面シート１２に接合される。サイドシート１４の横方向Ｙ内方の端部は、図２の例に限定されず、外側に折り返されて固定されていてもよい。あるいは、当該端部には、縦方向Ｘに伸縮可能な弾性部材が取り付けられ、着用時に表面シート１２側から起立する立体ギャザーが形成されてもよい。
【００２０】
［吸収性コアの構成］
図３に示すように、吸収性コア１６は、前方コア部２０と、中間コア部２１と、後方コア部２２と、を有する。前方コア部２０、中間コア部２１及び後方コア部２２は、縦方向Ｘに沿って並んでいる。すなわち、前方コア部２０及び後方コア部２２は縦方向Ｘの両端部側に位置し、前方コア部２０及び後方コア部２２の間に中間コア部２１が位置する。中間コア部２１は、着用者の排泄領域に対向する領域であり、前方コア部２０及び後方コア部２２は、着用者の排泄領域の前方及び後方にそれぞれ対向する部分である。吸収性コア１６は、横方向Ｙにおいて左右対称な平面形状を有する。
【００２１】
中間コア部２１は、前方コア部２０及び後方コア部２２よりも幅狭に構成され、左右から括れた形状を有する。中間コア部２１は、前方コア部２０の幅Ｄ１及び後方コア部２２の幅Ｄ３よりも狭い幅Ｄ２を有する。
中間コア部２１の幅Ｄ２は、横方向Ｙにおける最小幅寸法をいうものとする。前方コア部２０の幅Ｄ１及び後方コア部２２の幅Ｄ３は、横方向Ｙにおける最大幅寸法をいうものとする。
吸収性コア１６が幅狭な中間コア部２１を有することで、着用者の両脚が閉じ股間幅が狭くなった場合に、中間コア部２１に付加される横方向Ｙからの外力を低減させることができる。
【００２２】
前方コア部２０の幅Ｄ１及び後方コア部２２の幅Ｄ３は同一でも異なっていてもよく、図３に示す例では、略同一の寸法を有する。また、前方コア部２０及び後方コア部２２の縦方向Ｘの長さ寸法は同一でも異なっていてもよく、例えば後方コア部２２がより長く構成される。
なお、ある領域において「幅が一定」とは、当該領域の横方向Ｙにおける最小幅を１００％としたときに、当該領域内の幅寸法の差異が２０％以下に収まっていることをいう。
【００２３】
図３に示す例では、中間コア部２１が、縦方向Ｘに沿って一定の幅Ｄ２で構成された幅狭部２１ａと、幅狭部２１ａの前方及び後方にそれぞれ位置するテーパ部２１ｂと、を有する。テーパ部２１ｂは、前方コア部２０及び後方コア部２２に向かって幅が漸増する領域である。なお、中間コア部２１がテーパ部２１ｂを有さず、前方コア部２０及び後方コア部２２の間で幅が非連続的に変化する構成でもよい。
【００２４】
［中央外力緩衝部の構成］
図３に示すように、吸収性コア１６は、中間コア部２１に形成され、肌方向Ｚ１への起立を促進する中央外力緩衝部２３を有する。
【００２５】
中央外力緩衝部２３は、縦方向Ｘに延在し、例えば横方向Ｙ中央部に位置する。
横方向Ｙ中央部とは、中間コア部２１の最も幅狭の部分を横方向Ｙに３等分した場合の中央の領域をいう。典型的には、中央外力緩衝部２３は、中間コア部２１を横方向Ｙに２等分する位置に形成される。
中央外力緩衝部２３は、少なくとも中間コア部２１に形成されていればよく、本実施形態において、縦方向Ｘにおける起点及び終点の双方が中間コア部２１内に位置する。
【００２６】
中央外力緩衝部２３は、ナプキン１に横方向Ｙから圧縮するような外力を付加した場合に、吸収性コア１６の任意の箇所が外力の影響を受けて変形しないよう、横方向Ｙ中央部で吸収性コア１６が肌方向Ｚ１に凸形状又は凹形状をなすように加工された構成である。中央外力緩衝部２３の具体的な態様としては、製造段階において吸収性コア１６に形成された折り癖でもよいし、圧搾加工により形成された凹部、低坪量の凹部、スリット等でもよい。中央外力緩衝部２３は、凹部を含む例として、縦方向Ｘに連続的に延びる溝状の構造体でもよいし、点状の複数の凹部が形成された領域でもよい。なお、「点状」とは、任意の点の周囲に形成された所定の形状及び面積を有する領域であり、当該形状は円形、楕円形、多角形等、限定されない。
【００２７】
中央外力緩衝部２３の幅ｄは、肌方向Ｚ１への起立を効果的に促進する観点から、好ましくは２ｍｍ以上１０ｍｍ以下であり、より好ましくは４ｍｍ以上７ｍｍ以下である。中央外力緩衝部２３の幅ｄは、吸収性コア１６をＸＹ平面上に引き伸ばした態様における横方向Ｙの寸法である。より具体的に、中央外力緩衝部２３が折り癖の場合の幅ｄは、当該折り癖が付けられている領域の横方向Ｙの寸法である。中央外力緩衝部２３が溝状の場合の幅ｄは、吸収性コア１６の表面における溝幅である。中央外力緩衝部２３が点状の凹部の形成領域の場合の幅ｄは、当該凹部の形成領域の横方向Ｙの寸法である。
【００２８】
中央外力緩衝部２３と幅狭の中間コア部２１との相乗作用について、図４を用いて説明する。
いわゆる中高構造を有さないナプキンでは、横方向Ｙから外力を受けた場合、装着状態や着用者の姿勢に起因して、吸収性コアは任意の場所で変形し易くなる。これに対して、本実施形態のナプキン１は、中間コア部２１の横方向Ｙ中央部に、その周囲よりも厚い、いわゆる中高部が存在せず、中央外力緩衝部２３が存在する。このため、図４に示すように、横方向Ｙから外力（同図の白抜き矢印参照）を受けた場合、ナプキン１では、中央外力緩衝部２３へ外力が伝わり易く、中央外力緩衝部２３を契機として中間コア部２１が変形することにより、その周囲の領域での好ましくない変形が抑制され易くなる。このとき、中央外力緩衝部２３は図４に示すように肌方向Ｚ１に突出するよう変形することもあるし、また、後述するような、中央外力緩衝部２３が溝である場合には、溝幅が狭くなるように変形することもある。
【００２９】
さらに、上記構成では、中間コア部２１が前方コア部２０及び後方コア部２２よりも幅狭に括れており、縦方向Ｘに延在する中央外力緩衝部２３がこの中間コア部２１に形成されている。この幅狭の括れ構造により、中間コア部２１に付加される横方向Ｙの外力が低減する。加えて、中間コア部２１の括れ領域によって、前方コア部２０と後方コア部２２とが縦方向Ｘに分離しているので、中間コア部２１の横方向Ｙ中央部の変形が規制され難くなっている。更に、横方向Ｙ中央部に関しては、中間コア部２１が前方コア部２０と後方コア部２２と連接しているので、厚み方向Ｚに変形した中間コア部２１がなだらかな傾斜面を維持し易くなる。例えば、中央外力緩衝部２３が肌方向Ｚ１へ起立する場合には、その起立高さを制限しながら、排泄口からその周囲部分の肌へ中間コア部２１が密着し易い傾斜面を形成することができる。一方で、中央外力緩衝部２３が溝の場合には、溝幅が狭くなるような変形をしつつ、中間コア部２１の横方向Ｙ中央部が排泄口へ向かってなだらかな傾斜面を有するように隆起するので、同様に良好な密着性を得ることができる。したがって、中間コア部２１の中央外力緩衝部２３と幅狭の構造とによって、排泄領域の窪みに沿った緩やかな凸形状を実現することができ、ナプキン１において、排泄口への高い密着性と、違和感のない良好な装着感とを両立させることができる。
【００３０】
［本実施形態の追加説明］
以下、本実施形態の説明を補足する。
【００３１】
（吸収性コアの各部の幅）
前方コア部２０及び後方コア部２２の幅Ｄ１，Ｄ３は、好ましくは６０ｍｍ以上１００ｍｍ以下であり、より好ましくは７０ｍｍ以上９０ｍｍ以下である。
中間コア部２１の幅狭部２１ａの幅Ｄ２は、好ましくは３５ｍｍ以上７５ｍｍ以下であり、より好ましくは４０ｍｍ以上７０ｍｍ以下である。
【００３２】
（吸収性コアのブロック構造）
図３に示すように、吸収性コア１６は、縦方向Ｘに沿って延びる複数の縦溝部２４及び横方向Ｙに沿って延びる複数の横溝部２５によってブロック状に分割されている。縦溝部２４及び横溝部２５は、その周囲よりも低坪量に構成された溝として構成される。
縦溝部２４は、中央外力緩衝部２３と平面視において重なる位置に形成されていてもよい。この場合、中央外力緩衝部２３は、縦溝部２４とは別に設けられた折り癖、凹部等の構成となる。
縦溝部２４は、少なくとも一部が縦方向Ｘに沿って延びていればよく、図３に示すように一部が曲線状であってもよい。同様に、横溝部２５も、少なくとも一部が横方向Ｙに沿って延びていればよい。
【００３３】
（吸収性コアの厚み）
中間コア部２１は、いわゆる「中高構造」は備えないものである。つまり、着用者の肌に密着する程に、横方向Ｙの中央部にその周辺領域よりも厚く、肌側へ突出する領域を備えていない。より具体的には、中間コア部２１の幅方向Ｙの中央部には、前方コア部２０及び後方コア部２２よりも、着用者の肌に密着する程に厚みを大きくする構造は有していない。しかしながら、前方コア部２０及び後方コア部２２と比較して完全に厚みが同じである必要はなく、厚み差（［中間コア部２１の厚み−前方コア部２０又は後方コア部の厚み］／前方コア部２０又は後方コア部２２の厚み）が２５％以内、好ましくは１５％以内の範囲で中間コア部２１が厚くても良い。
中間コア部２１の厚み方向Ｚの寸法は、坪量を考慮して設定することができる。例えば、当該厚み寸法は、起立しやすさの観点から、好ましくは１ｍｍ以上７ｍｍ以下であり、より好ましくは２ｍｍ以上５ｍｍ以下である。
【００３４】
（吸収性コアの坪量）
縦溝部２４及び横溝部２５を除く吸収性コア１６の坪量は、好ましくは９０ｇ／ｍ２以上７００ｇ／ｍ２以下であり、より好ましくは１００ｇ／ｍ２以上５００ｇ／ｍ２以下である。
【００３５】
（吸収性コアの坪量の測定方法）
吸収性コア１６の測定対象領域を、フェザー社製片刃剃刀を用いて切断し、あらかじめ定めた面積となるように小片を得る。それらの小片の重量を電子天秤（Ａ＆Ｄ社製電子天秤ＧＲ−３００、精度：小数点以下４桁）を用いて測定する。求めた重量を各部の小片の面積で除して小片の坪量を算出する。各部のそれぞれについて、小片５個の坪量の平均を坪量とする。
【００３６】
（吸収性コアの厚みの測定方法）
測定対象の小片の厚みは、上述した坪量を測定するために切り出した小片の厚みを測定することで行う。吸収性コアより切り出した小片に、直径２５ｍｍ、厚み３ｍｍ、質量２．４５ｇのアルミニウム製プレートを測定表面に水平に測定表面に静かに置き、ＫＥＹＥＮＣＥ社製非接触式レーザー変位計（レーザーヘッドＬＫ−Ｇ３０、変位計ＬＫ−ＧＤ５００）を用い、サンプルの厚みを測定する。切り出した小片の大きさが小さく、非接触式レーザー変位計により測定し難い場合には、上記切断されたサンプルの断面を、例えば、マイクロスコープ（ＫＥＹＥＮＣＥ社製ＶＨＸ−１０００）を用いて２０〜１００倍の倍率で観察し、測定してもよい。なお、「ほぼ無荷重状態」とは、サンプルの上端部分を特定するために平坦にアクリルプレートをサンプル表面に配する意味であり、全くの無荷重を意味するものではない。
【００３７】
＜第２実施形態＞
中央外力緩衝部２３は、中間コア部２１のみに形成される構成に限定されず、例えば吸収性コア１６のほぼ全長にわたって延びていてもよい。
【００３８】
図５に示すように、中央外力緩衝部２３は、吸収性コア１６の横方向Ｙ中央部に位置し、前方コア部２０から後方コア部２２まで縦方向Ｘに延在する。
「中央外力緩衝部２３が前方コア部２０から後方コア部２２まで縦方向Ｘに延在する」とは、前方コア部２０内に位置する起点から中間コア部２１を通って後方コア部２２内に位置する終点まで延びている構成をいう。
【００３９】
本実施形態では、図５に示すように、中央外力緩衝部２３が、吸収性コア１６の縦方向Ｘ全長にわたって、前方コア部２０の前方側の端部から後方コア部２２の後方側の端部まで延在している。
あるいは、図６に示すように、中央外力緩衝部２３は、前方コア部２０内に位置する起点から中間コア部２１を通って後方コア部２２内に位置する終点まで延びていてもよい。
【００４０】
上記構成により、中間コア部２１を貫通して中央外力緩衝部２３が形成され、中間コア部２１において中央外力緩衝部２３による凸形状が維持されやすくなる。したがって、長時間着用時、運動時等のナプキン１に外力が付加されやすい状態でも、好ましい凸形状が維持され、排泄領域における高いフィット性及び良好な装着感を維持できる。
【００４１】
また、吸収性コア１６は、中央外力緩衝部２３によって前方コア部２０から後方コア部２２まで連続的に凸形状をとることができる。このため、着用者の排泄領域の前方からその後方の臀部における身体の窪みに沿いやすくなり、よりフィット性を高めることができる。
【００４２】
＜第３実施形態＞
中央外力緩衝部２３は、全体が一定の幅でなく、部分毎に異なる幅を有していてもよい。
【００４３】
すなわち、図７に示すように、中央外力緩衝部２３は、前方コア部２０及び後方コア部２２において、中間コア部２１よりも幅広に形成されてもよい。中央外力緩衝部２３が前方コア部２０及び後方コア部２２において中間コア部２１よりも「幅広」とは、前方コア部２０及び後方コア部２２における中央外力緩衝部２３の最大幅が、中間コア部２１における中央外力緩衝部２３の最小幅よりも大きくなる態様をいうものとする。
【００４４】
より具体的に表現すると、中央外力緩衝部２３は、幅広の前方幅広領域２３ａ及び後方幅広領域２３ｃと、幅狭の中間幅狭領域２３ｂと、に区分される。前方幅広領域２３ａの幅ｄ１及び後方幅広領域２３ｃの幅ｄ３は、中間幅狭領域２３ｂの幅ｄ２よりも大きくなるように構成される。図７に示す例では、前方幅広領域２３ａ、中間幅狭領域２３ｂ及び後方幅広領域２３ｃが、それぞれ一定の幅ｄ１，幅ｄ２及び幅ｄ３で形成されている。
ここで、中央外力緩衝部２３及びその各領域における「幅が一定」とは、横方向Ｙにおける最小幅を１００％としたときに、当該領域内の幅寸法の差異が１１％以下に収まっていることをいう。
【００４５】
前方幅広領域２３ａは、図７に示す例では、中間コア部２１の前端側から前方コア部２０にわたって形成されている。同様に、後方幅広領域２３ｃも、中間コア部２１の後端側から後方コア部２２にわたって形成されている。
また、図７の中央外力緩衝部２３は、前方幅広領域２３ａ、中間幅狭領域２３ｂ及び後方幅広領域２３ｃの間で縦方向Ｘに連続的に形成されている。但し、中央外力緩衝部２３は、前方幅広領域２３ａ、中間幅狭領域２３ｂ及び後方幅広領域２３ｃの各領域間で分断され不連続に形成されていてもよい。
【００４６】
この構成では、着用中に臀部における臀裂部周囲の肌によって後方コア部２２の両側部が押圧されるため、後方幅広領域２３ｃの両側部が、後方幅広領域２３ｃで分離されて肌方向Ｚ１へ起立しやすくなる。これにより、着用時において、後方コア部２２が着用者の臀部の臀裂に沿って起立し、臀部にフィットしやすくなる（後述する図９参照）。したがって、前方及び後方への液漏れをより効果的に抑制することができる。
【００４７】
また、中間コア部２１でも、前方コア部２０及び後方コア部２２における中央外力緩衝部２３の作用によって凸形状を維持しやすくなる。したがって、寝返り時や歩行時等のナプキン１にねじれ方向の負荷等がかかる場合にも、中間コア部２１における凸形状を維持させ、良好なフィット性を維持させることができる。
【００４８】
加えて、中間コア部２１においては、相対的に中央外力緩衝部２３の幅が狭いため、凸形状が鋭く突出しすぎることを抑制できる。これにより、緩やかな凸形状を維持でき、長時間の使用時や動作時においても良好な装着感を維持できる。
【００４９】
なお、中央外力緩衝部２３の前方幅広領域２３ａ及び後方幅広領域２３ｃの幅ｄ１、ｄ３は、上記作用効果を効果的に発揮させる観点から、好ましくは３ｍｍ以上１６ｍｍ以下であり、より好ましくは５ｍｍ以上１２ｍｍ以下である。また、中間幅狭領域２３ｂの幅ｄ２は、好ましくは２ｍｍ以上１０ｍｍ以下あり、より好ましくは３ｍｍ以上７ｍｍ以下である。また、中間幅狭領域２３ｂの幅ｄ２に対する前方幅広領域２３ａ及び後方幅広領域２３ｃの幅ｄ１，ｄ３は、好ましくは１．０倍よりも大きく３倍以下であり、より好ましくは１．２倍以上２．５倍以下である。
【００５０】
＜第４実施形態＞
上述のように、吸収性コア１６では、中央外力緩衝部２３によって、横方向Ｙ中央部が排泄領域及びその後方の臀裂に沿う形状に誘導される。一方で、吸収性コア１６の横方向Ｙ側部においては、排泄領域、臀部及び鼠蹊部の側部を包み込むような形状となることが好ましい。
そこで、図８に示すように、吸収性コア１６は、中央外力緩衝部２３の横方向Ｙ両側方に形成され、縦方向Ｘに延在する側部外力緩衝部２７をさらに有していてもよい。
【００５１】
側部外力緩衝部２７は、後方コア部２２の非肌方向Ｚ２への窪みを促進する構成であり、横方向Ｙから外力が付加された場合に、吸収性コア１６が非肌方向Ｚ２に窪むように加工された構成である。側部外力緩衝部２７は、例えば、中央外力緩衝部２３を挟んで１対形成される。これにより、吸収性コア１６には、縦方向Ｘに沿った山折線及び谷折線が、交互に横方向Ｙに並ぶように３本形成される。
【００５２】
側部外力緩衝部２７の具体的な態様としては、中央外力緩衝部２３と同様に、製造段階において吸収性コア１６に形成された折り癖でもよいし、圧搾加工された凹部、低坪量の凹部、スリット、あるいはパルプ積繊欠落部等を含んでいてもよい。
【００５３】
図８に示す例では、側部外力緩衝部２７が、後方コア部２２に形成されている。これにより、臀部の丸みに沿うように、後方コア部２２の横方向Ｙ側部をＷ字状に屈曲させることができる。
【００５４】
図９を用いて、後方コア部２２における着用時の構成を具体的に説明する。
後方コア部２２は、中央外力緩衝部２３により、横方向Ｙ中央部において肌方向Ｚ１に凸形状をなす。これにより、後方コア部２２が臀部Ｈの臀裂Ｈ１に沿う形状となる。
さらに、後方コア部２２では、側部外力緩衝部２７により、横方向Ｙ側部が非肌方向Ｚ２に凸形状をなし、横方向Ｙ端部２２ｄが肌方向Ｚ１を向くように屈曲する。これにより、後方コア部２２全体が、臀部Ｈの凹凸に沿ったＷ字状となる。したがって、就寝時や動作時に、特に隙間ができやすくヨレやすい後方コア部２２のフィット性を向上させ、液の漏れを効果的に防止することができる。
【００５５】
図１０に示すように、側部外力緩衝部２７は、後方コア部２２の他、中間コア部２１及び前方コア部２０の少なくとも一方にも形成されていてもよい。
例えば、側部外力緩衝部２７は、中央外力緩衝部２３と並行して、前方コア部２０から中間コア部２１を通って後方コア部２２まで形成されていてもよい。これにより、横方向Ｙからの外力によって、吸収性コア１６全体がＷ字状に屈曲する形状となる。したがって、ナプキン１の横方向Ｙ側部におけるフィット性をさらに向上させ、横方向Ｙの液の漏れを効果的に防止することができる。
なお、側部外力緩衝部２７は、縦方向Ｘに連続して形成される構成に限定されず、例えば吸収性コア１６の各コア部間で縦方向Ｘに非連続的に分断されていてもよい。また、側部外力緩衝部２７は、後方コア部２２にあればよく、前方コア部２０には存在しなくてもよい。
【００５６】
＜第５実施形態＞
側部外力緩衝部は、縦方向Ｘに延在する構成に限定されず、以下のように、横方向Ｙに延在していてもよい。
【００５７】
すなわち、図１１に示すように、吸収性コア１６は、中央外力緩衝部２３の横方向Ｙ両側方に形成され、横方向Ｙに延在し非肌方向Ｚ２への起立を促進する側部外力緩衝部２８をさらに有していてもよい。側部外力緩衝部２８は、縦方向Ｘから外力が付加された場合に、吸収性コア１６が非肌方向Ｚ２に突出するように加工された構成である。側部外力緩衝部２８の具体的な態様としては、側部外力緩衝部２８と同様に、製造段階において吸収性コア１６に形成された折り癖でもよいし、圧搾加工された凹部、低坪量の凹部、スリット、あるいはパルプ積繊欠落部等を含んでいてもよい。
【００５８】
側部外力緩衝部２８は、後方コア部２２及び前方コア部２０にそれぞれ形成されている。また、各側部外力緩衝部２８は、中央外力緩衝部２３を挟んで横方向Ｙ中央部で分断されている。
【００５９】
側部外力緩衝部２８が後方コア部２２に形成されることで、後方コア部２２が横方向Ｙに沿って非肌方向へ凸形状をなし、前後方向における臀部の丸みに沿って湾曲しやすくなる。これにより、後方コア部２２において臀部との間の隙間を低減し、フィット性を向上させることができる。
【００６０】
側部外力緩衝部２８が前方コア部２０に形成されることで、前方コア部２０が横方向Ｙに沿って非肌方向へ凸形状をなし、排泄領域前方部から腹側に向かって急峻に湾曲する形状に沿いやすくなる。したがって、前方コア部２０におけるフィット性を向上させることができる。
【００６１】
なお、側部外力緩衝部２８は、後方コア部２２及び前方コア部２０の一方に形成されていてもよい。また、側部外力緩衝部２８は、後方コア部２２及び前方コア部２０各々に複数形成されていてもよい。
【００６２】
＜第６実施形態＞
図１２に示すように、ナプキン１は、吸収体１１が表面シート１２とともに厚み方向Ｚに圧縮されて構成された圧搾溝３０をさらに備えていてもよい。本実施形態では、着用時に吸収性コア１６を好ましい形状により誘導しやすくする観点から、圧搾溝３０と中央外力緩衝部２３との位置関係を規定する。
【００６３】
図１２に示すように、圧搾溝３０は、中間コア部２１において対をなし、それぞれ縦方向Ｘに延びている。圧搾溝３０が「縦方向Ｘに延びる」とは、ナプキン１の前方から後方に向かって延びている態様を広く含むものとし、縦方向Ｘと平行である態様に限定されない。つまり、圧搾溝３０は、湾曲していてもよいし、蛇行していてもよい。
【００６４】
また、中間コア部２１の横方向端部２１ｄ及び圧搾溝３０の間の横方向Ｙに沿った寸法を第１の幅Ｄ１１とし、圧搾溝３０及び中央外力緩衝部２３の間の横方向Ｙに沿った寸法を第２の幅Ｄ１２とする。このとき、第１の幅Ｄ１１よりも第２の幅Ｄ１２の方が大きくなるように構成される。
第１の幅Ｄ１１は、中間コア部２１の横方向端部２１ｄから圧搾溝３０の横方向Ｙ外縁までの横方向Ｙに沿った最大寸法であり、第２の幅Ｄ１２は、圧搾溝３０の横方向内縁から中央外力緩衝部２３の外縁までの横方向Ｙに沿った最大寸法である。
【００６５】
圧搾溝３０によって、中間コア部２１は、圧搾溝３０よりも横方向Ｙ外方の周縁領域２１ｅと、圧搾溝３０間の中央領域２１ｃと、に区画される。つまり、上記構成では、中央領域２１ｃの中心部に中央外力緩衝部２３が形成され、周縁領域２１ｅの幅である第１の幅Ｄ１１よりも中央領域２１ｃの１／２幅に相当する第２の幅Ｄ１２の方が大きくなる。
【００６６】
圧搾溝３０は、吸収性コア１６が圧密化された領域のため、周囲の周縁領域２１ｅ及び中央領域２１ｃよりも高い剛性を有し、変形し難い領域となる。
これにより、横方向Ｙからナプキン１を圧縮する方向の外力が付加された場合、圧搾溝３０の外側の周縁領域２１ｅが外力を受けて圧縮変形する。第１の幅Ｄ１１が第２の幅Ｄ１２よりも狭くなるように構成されることで、周縁領域２１ｅに外力の影響を集中させ、ナプキン１全体が圧縮変形されることを抑制できる。
一方で、中間コア部２１が横方向Ｙからの外力を受けた場合、圧搾溝３０によって中央領域２１ｃへの圧縮変形の伝搬が抑制されるとともに、圧搾溝３０が弾性変形の起点として作用する。つまり、対をなす圧縮溝Ｅ同士が、外力を受けて横方向Ｙに相互に接近し、その間の中央領域２１ｃは、中央外力緩衝部２３を中心として肌方向Ｚ１に盛り上がるようにたわみ変形する。
第２の幅Ｄ１２、すなわち圧搾溝３０間の距離を十分に確保することで、外力を受けて弾性変形する領域を十分に確保でき、緩やかな凸形状への変形を促すことができる。
このように、圧搾溝３０によって外力が吸収・緩和されるとともに、中央外力緩衝部２３の作用が助長され、外力を受けた場合に好ましい形状への変形が促される。
【００６７】
なお、圧搾溝３０は、図１２に示す構成例に限定されない。例えば、圧搾溝３０は、中間コア部２１のみならず、前方コア部２０及び後方コア部２２にも形成されていてもよい。この場合、左右に対をなす圧搾溝３０が前方及び後方の端部で連結し、全体として環状の圧搾溝３０が構成されていてもよい。
また、圧搾溝３０は、複数対形成されていてもよい。さらに、各圧搾溝３０は、縦方向Ｘに分断されて不連続に形成されていてもよい。
【００６８】
以上、本発明の実施形態について説明したが、本発明は上述の実施形態にのみ限定されるものではなく、本発明の要旨を逸脱しない範囲内において種々変更を加え得ることは勿論である。
【００６９】
以上の実施形態では、吸収性物品として生理用ナプキンの例を示したが、これに限定されない。本発明の吸収性物品は、例えば、尿取りパットやおりものシート、使い捨ておむつ等であってもよい。
【符号の説明】
【００７０】
１…ナプキン（吸収性物品）
１１…吸収体
１２…表面シート
１３…裏面シート
１５…粘着部
１６…吸収性コア
２０…前方コア部
２１…中間コア部
２２…後方コア部
２３…中央外力緩衝部
【図１】
2020036737.tif 000003
【図２】
2020036737.tif 000004
【図３】
2020036737.tif 000005
【図４】
2020036737.tif 000006
【図５】
2020036737.tif 000007
【図６】
2020036737.tif 000008
【図７】
2020036737.tif 000009
【図８】
2020036737.tif 000010
【図９】
2020036737.tif 000011
【図１０】
2020036737.tif 000012
【図１１】
2020036737.tif 000013
【図１２】
2020036737.tif 000014